(57)【特許請求の範囲】
【請求項１】
前面が開放するように箱状に形成され、内部を収納空間とする本体部と、前記本体部の前面に取り付けられ、前記本体部の側板または天板のいずれかに沿った軸を中心として回動するように開閉する前面扉と、を備え、前記本体部の底板の下面が前記前面扉の下端と同一高さに揃えられたアッパーキャビネットであって、
前記底板の前面の少なくとも幅方向の一部が前記本体部の他の部分の前面よりも後退した位置に設けられ、前面の後退した部分に前記前面扉との隙間を塞ぐための手掛かり部材が取り付けられており、
前記手掛かり部材は、上面が前記底板の上面と面一に形成された閉止部と、前記底板の前面を覆い、かつ前記底板の前面に固定するための固定部と、を備えており、
前記固定部は、差込み式の固定部材によって前記底板の前面に固定されており、前記固定部は、前記固定部材を覆うためのカバー部材をさらに備え、カバー部材には係合用の突起が形成されており、突起は固定部に形成されている係合用の窪みに嵌合する構成であることを特徴とするアッパーキャビネット。
【請求項２】
前記固定部の下端には、前記底板の下面の前端寄りの位置を覆うように形成された折曲げ片が設けられていることを特徴とする請求項１に記載のアッパーキャビネット。
【発明の詳細な説明】
【技術分野】
【０００１】
本発明は、キッチン等の壁面に設置されるアッパーキャビネットに関するものである。
【背景技術】
【０００２】
従来、アッパーキャビネットとして、扉に取手が設けられたものや、取手が設けられず扉の下端部がキャビネットの底板より下方まで延びて手掛かりとされた取手レス構造のものが知られている。
【０００３】
取手レス構造のものとして、吊り戸棚の前面を開閉する扉の下端と略等しい高さの下面を備えた底板とを備え、底板の前面は扉から所定間隔離隔しており、底板の前面に底板と扉との隙間を封止する封止部材とを備えた構成が知られている（特許文献１参照）。
【先行技術文献】
【特許文献】
【０００４】
【特許文献１】特開２００８−２５３３２５号公報
【発明の概要】
【発明が解決しようとする課題】
【０００５】
上記特許文献１記載の封止部材は、キャビネットの底板への取り付け手段について明記されていないが、底板に接着するか、底板の上面にビス止めすることにより固定する固定方法が考えられる。
【０００６】
仮に底板の厚み方向にビスを打つと、ビスの先端が飛び出して底板を傷めたり、ビスが短いと取り付け強度が不足する等の虞がある。一方、接着では経年的に剥がれる可能性もある。
【０００７】
また、封止部材は、底板の上面に延びており、しかも底板に接着するか、底板の上面にビス止めするためにある程度厚みがあるので、底板の上面との間に段部が形成される。そのために、引出し内の収納物を前方に引くようにして取り出す際に、収納物が段部にひっかかかり取り出しにくいという虞も生じる。              
【０００８】
ところで、従来の封止部材を有さないタイプの取手レスのアッパーキャビネットのように、前面扉の下端よりキャビネット本体部を上方にする構成であると、現場の壁仕上げの際にミスを誘発することがあった。
【０００９】
例えば、現場の壁仕上げの際に、アッパーキャビネットを取り付ける背後の壁面の壁板は、通常、アッパーキャビネットの本体部の標準的な長さ（例えば側板等の標準的長さ７００ｍｍ）に合わせた寸法のものを用意し使用していた。
【００１０】
一方、このようなアッパーキャビネットでは、キャビネット本体部の底板の下端を前面扉の位置より上方の位置とする構成に伴い、側板の下端を前面扉の下端より上方の位置になるように短く（例えば、標準的には７００ｍｍの長さのところ６８５ｍｍとする）していた。
【００１１】
そのため、現場の壁仕上げの際、アッパーキャビネットを取り付ける背後の壁面の壁板を、標準の側板の長さ（例えば７００ｍｍ）に合わせた寸法のものを用意して使用するというミスを誘発することがあった。
【００１２】
本発明は、従来取手レス構造のキャビネットにおいて、上記特許文献１記載の封止部材を設けることによる上記のような問題点を解決することを目的とするものであり、底板の前面に手掛かり部材を取り付けるキャビネットとして、手掛かり部材が経年的に剥がれ難く、底板への固定が容易であり、底板に収納物が引っかかかるような段部のないアッパーキャビネットを実現することを課題とする。
【００１３】
また、アッパーキャビネットを取り付ける背後の壁面の壁板の寸法上のミス等を防止することのできるアッパーキャビネットを実現することを課題とする。
【課題を解決するための手段】
【００１４】
本発明は上記課題を解決するために、前面が開放するように箱状に形成され、内部を収納空間とする本体部と、前記本体部の前面に取り付けられ、前記本体部の側板または天板のいずれかに沿った軸を中心として回動するように開閉する前面扉と、を備え、前記本体部の底板の下面が前記前面扉の下端と同一高さに揃えられたアッパーキャビネットであって、前記底板の前面の少なくとも幅方向の一部が前記本体部の他の部分の前面よりも後退した位置に設けられ、前面の後退した部分に前記前面扉との隙間を塞ぐための手掛かり部材が取り付けられており、前記手掛かり部材は、上面が前記底板の上面と面一に形成された閉止部と、前記底板の前面を覆い、かつ前記底板の前面に固定するための固定部と、を備えており、前記固定部は、差込み式の固定部材によって前記底板の前面に固定されており、前記固定部は、前記固定部材を覆うためのカバー部材をさらに備え、カバー部材には係合用の突起が形成されており、突起は固定部に形成されている係合用の窪みに嵌合する構成であることを特徴とするアッパーキャビネットを提供する。
【００１６】
前記固定部の下端には、前記底板の下面の前端寄りの位置を覆うように形成された折曲げ片が設けられていることが好ましい。
【発明の効果】
【００１７】
本発明によれば、アッパーキャビネットの底板の少なくとも一部をアッパーキャビネットの本体部他の部分の前面より後退した位置になるようにし、その後退した部分の前面に手掛かり部材を固定して取り付ける構成としたので、底板に収納物が引っかかるような段部がなく、手掛かり部材の底板への固定が容易となる。
【図面の簡単な説明】
【００１８】
【図１】本発明に係るアッパーキャビネットの実施例１の全体構成を説明する前後方向に切断した垂直断面図である。
【図２】本発明に係るアッパーキャビネットの実施例１の全体構成を説明する図であり、（ａ）は図１のＢ−Ｂ方向から見た平面図であり、（ｂ）は別の構成の平面図である。
【図３】（ａ）は上記実施例１の要部を説明する側面図であり、（ｂ）は（ａ）の一部の拡大図であり、（ｃ）は実施例１の変形例を示す図である。
【図４】（ａ）は本発明に係るアッパーキャビネットの実施例２の要部を説明する側面図であり、（ｂ）は（ａ）の一部拡大図である。
【図５】（ａ）は本発明に係るアッパーキャビネットの実施例３の要部を説明する側面図であり、（ｂ）は（ａ）の一部拡大図である。
【発明を実施するための形態】
【００１９】
本発明に係るアッパーキャビネットを実施するための形態を実施例に基づき図面を参照して、以下説明する。本明細書では、アッパーキャビネットを正面視したときに、手前側を前方とし、奥側を後方とし、左右方向を横幅方向とする。
【実施例】
【００２０】
（実施例１）
本発明に係るアッパーキャビネットの実施例１を、図１〜図３において説明する。実施例１のアッパーキャビネット１は、図１に示すように、底板２、天板３、側板４および背板５から成り、前面が開放するように箱状に形成され、内部を収納空間８とする本体部９を備えている。
【００２１】
また、アッパーキャビネット１は、図１に示すように、本体部９の前面に取り付けられ、本体部９の天板３または側板４のいずれかに沿った軸を中心として回動するように開閉する前面扉１０を備えている。このアッパーキャビネット１においては、本体部９の底板２の下面が前面扉１０の下端と同一高さに揃えられている。
【００２２】
底板２の前面の少なくとも横幅方向の一部が、本体部９の他の部分の前面よりも後退した位置に設けられている。図２（ａ）は、底板２の前面１３の横幅方向の全部が、側板４の前面１４等、本体部９の他の部分の前面よりも後退した位置に設けられている構成例である。
【００２３】
また、図２（ｂ）は、底板２の前面の少なくとも横幅方向の一部の前面１５が、側板４の前面１４や底板２の前面の他の部分等、本体部９の他の部分の前面よりも後退した位置に設けられている別の構成例である。
【００２４】
底板２の後退した前面１３、１５の部分に、図３（ａ）に示すように、前面扉１０との隙間１８を塞ぐための手掛かり部材１９が取り付けられている。手掛かり部材１９は、樹脂材を材料として、押し出し成形等によって一体に形成されており、閉止部２２と固定部２３とを備えている。
【００２５】
閉止部２２は、図３（ａ）に示すように、その上面２４が底板２の上面２７と面一に形成され、前方に水平に延びるように形成されている。閉止部２２の前面には、前面扉１０を閉じた際に、前面扉１０の後面（内面）２６に当接するように、パッキン（防虫等のためのパッキン）２８が形成されている。
【００２６】
固定部２３は、底板２の前面１３、１５を覆い、かつ底板２の前面１３、１５に固定するために設けられており、差し込み式の固定部材２９によって、底板２の前面１３、１５に固定されている。閉止部２２の下方かつ固定部２３の前方には、前面扉１０の後面２６の下端部に手を掛けるように手を下方から差し込む手掛かりスペース３２が形成される。
【００２７】
本実施例では、差し込み式の固定部材としてタッカー３３が使用され、固定部２３は、図３に示すように、タッカー３３によって、底板２の前面に固定されている。タッカー３３（針状の留め具）は、詳細は図示しないが、平面視でコの字型、Ｕ字型またはＩ型のいずれのものでもよい。固定部２３におけるタッカー３３で固定される部分の下方に係合用の窪み３４が形成されている。                
【００２８】
また、固定部２３は、タッカー３３を覆うためのカバー部材３７をさらに備えている。本実施例では、カバー部材３７は、図３（ａ）、（ｂ）に示すように、閉止部２２の下面から薄肉の折曲げ部３８を介して下方に延び、タッカー３３をカバーするように設けられている。
【００２９】
カバー部材３７の下端の後面（内面）には係合用の突起３９が形成されており、係合用の窪み３４内に嵌合して係合し、カバー部材３７をタッカー３３の前面に係止するように構成されている。
【００３０】
固定部２３の下端には、後方に向けて折曲げ片４２が設けられている。この折曲げ片４２は、図３（ａ）に示すように、底板２の下面４３の前端寄りの位置を覆うように形成されている。                     
【００３１】
（作用）
以上の構成から成るアッパーキャビネット１の作用を説明する。手掛かり部材１９を底板２の前面に取り付ける場合は、手掛かり部材１９を底板２の前面に当接し、閉止部２２の上面２４と底板２の上面２７を面一とし、折曲げ片４２で底板２の下面４３の前端寄りの位置を覆うようにする。
【００３２】
この状態で、図３（ｂ）に２点鎖線（想像線）で示すように、カバー部材３７を折曲げ部３８を中心に前方に開いて、タッカー打ち込み機（図示せず）でタッカー３３を固定部２３を通して底板２の前面１３、１５に打ち込み、タッカー３３によって固定部２３を底板２の前面１３、１５に固定する。
【００３３】
そして、カバー部材３７を、折曲げ部３８を中心に後方に閉じ、その係合用の突起３９を固定部２３の係合用の窪み３４内に嵌合して係合し、カバー部材３７を閉じた状態として、タッカー３３をその前面側からカバーする。
【００３４】
このようにすると、タッカー３３は前方に露出しないので、意匠性が向上し、見栄えも良く、また施工者および使用者がタッカー３３に直接触れることがないので、怪我の防止にもなる。カバー部材３７は、その係合用の突起３９を固定部２３の係合用の窪み３４内に嵌合して係合するので、使用中に、カバー部材３７がめくれるようなこともない。
【００３５】
使用者は、アッパーキャビネット１の使用に際して、前面扉１０を開ける際は、閉止部２２の下方かつ固定部２３の前方の手掛かりスペース３２に下方から手を差し込み、前面扉１０の下端部の後面２６に手を掛けて前方に引くことで、前面扉１０を開くことが可能である。                    
【００３６】
このアッパーキャビネット１は、手掛かり部材１９が、その閉止部２２の上面２４と底板２の上面２７が面一になるように、底板２の前面に固定されており、底板２の上面２７には被らず、底板２の上ではビス止めもしないので、従来のアッパーキャビネットのように段差が発生することがない。従って、段差による底板２上の収納物の出し入れを阻害することがない。        
【００３７】
また、折曲げ片４２で底板２の下面の前端寄りの位置を覆うように構成されているので、底板２の前面１３、１５と下面４３との角部に直接手が触れることがないので、手に傷がつくようなこともない。
【００３８】
底板２の前面１３、１５や下面４３には、通常は化粧テープ等が貼着されているが、折曲げ片４２でこれらの化粧テープの端部を抑えることができるので、化粧テープが剥がれにくくなるという効果も得られる。
【００３９】
なお、手掛かり部材１９の閉止部２２を収納物の出し入れの阻害とならない程度に、図３（ｃ）に変形例を示すように、手掛かり部材１９の閉止部２２の上面からに、僅かに後方に向けて突出部４４を設ける構成とすれば、タッカー３３を打ち込む際に、突出部４４と折曲げ片４２によって上下から底板２を挟み込むようにすることで、仮止めでき、上下方向の取付位置のぶれもなく作業性がよくなる。
【００４０】
本発明のアッパーキャビネット１によれば、従来のアッパーキャビネットのように、キャビネットの本体部９の上下方向の長さを短くする必要はない。具体的には、側板４及び背板５の下端を前面扉より上方の位置になるように短くする（例えば、標準の７００ｍｍの長さのところ６８５ｍｍとする）ような必要がない。
【００４１】
そのため、アッパーキャビネット１を取り付ける背後の室内の壁面の壁板を、本体部９の標準の長さ（例えば側板の長さ７００ｍｍ）に対応した寸法のものを使用することができるので、現場の壁仕上げの際のミスを防止することができる。
【００４２】
本発明のアッパーキャビネット１によれば、従来の取手レスのアッパーキャビネットのように、キャビネット本体部の側板、背板等の上下方向の寸法を短くすることなく、底板２の前面１３またはその一部である前面１５を後退させ、前後方向の寸法を短くし、その底板２の前面１３、１５に手掛かり部材１９を取り付けた構成とすればよいので、製作も比較的に容易である。
【００４３】
しかも手掛かり部材１９は、従来の樹脂材による底板の前面のパッキン仕上げと同等の仕様であるから、前面扉１０を開けた際に、従来と素材感において異なるようなことは比較的ない。
【００４４】
（実施例２）
本発明に係るアッパーキャビネットの実施例２を、図４において説明する。実施例２のアッパーキャビネット５１は、実施例１のアッパーキャビネット１とほぼ同じ構成であり、同じ構成の部分は、同じ符号を使用し、以下、異なる構成について説明する。
【００４５】
実施例２のアッパーキャビネット５１においては、カバー部材５２は、図４（ａ）、（ｂ）に示すように、固定部２３の下半部５３から、薄肉の折曲げ部５６を介して上方に延び、タッカー３３の前方においてタッカー３３をカバーする構成を特徴とする。
【００４６】
カバー部材５２の上端には、略球状の係合用の突起５７が形成されている。閉止部２２におけるカバー部材５２に対応する下面には、係合用の窪み５８が形成されている。タッカー３３で固定部２３を固定する際には、図４（ｂ）に示すように、カバー部材５２を折曲げ部５６を中心に前方に開いた状態として、タッカー３３を打ち込んで固定部２３を底板２に固定する。
【００４７】
その後、カバー部材５２を折曲げ部５６を中心に後方に押し込んで閉じ、係合用の突起５７を係合用の窪み５８内に嵌合して係止し、カバー部材５２を閉じた状態に維持し、タッカー３３が前方に露出しないようにカバーする。
【００４８】
（実施例３）
本発明に係るアッパーキャビネットの実施例３を、図５において説明する。実施例３のアッパーキャビネット６１は、実施例１のアッパーキャビネット１とほぼ同じ構成であり、同じ構成の部分は、同じ符号を使用し、以下、異なる構成について説明する。
【００４９】
実施例３のアッパーキャビネット６１においては、カバー部材６２は、図５（ａ）、（ｂ）に示すように、固定部２３の下端に形成された軟質部６３を介して上方に延び、タッカー３３の前方においてタッカー３３をカバーする構成を特徴とする。
【００５０】
閉止部２２におけるカバー部材６２に対応する下面には、係合用の孔６６が形成されている。タッカー３３で固定部２３を固定する際には、図５（ｂ）に示すように、カバー部材６２を軟質部６３を中心に前方に開いた状態として、タッカー３３を打ち込んで固定部２３を底板２の前面部１３、１５に固定する。
【００５１】
その後、カバー部材６２を軟質部６３を中心に後方に押し込んで閉じ、カバー部材６２の上端を係合用の孔６６内に嵌合して係止し、カバー部材６２を閉じた状態に維持し、タッカー３３が前方に露出しないようにカバーする。
【００５２】
軟質部６３は、押し出し成形等において、一体成形される手掛かり部材１９のうち、他の部分より軟質の材料が注入されて形成される部分である。なお、軟質部６３に換えて、実施例１および実施例２のように薄肉の折曲げ部３８、５６を備えた構成としてもよい。
【００５３】
以上、本発明に係るアッパーキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５４】
本発明に係るアッパーキャビネットは上記のような構成であるから、キッチンのアッパーキャビネットだけでなく、その他の各種のキャビネットにも適用可能である。
【符号の説明】
【００５５】
１  アッパーキャビネット                                           
２  アッパーキャビネットの底板                                     
３  アッパーキャビネット天板                                       
４  アッパーキャビネット側板                                       
５  アッパーキャビネット背板                                       
８  収納空間                                                       
９  アッパーキャビネットの本体部                                   
１０  前面扉                                                       
１３  アッパーキャビネットの底板の前面                             
１４  アッパーキャビネットの側板の前面                             
１５  アッパーキャビネットの底板の前面の横幅方向の一部の前面       
１８  本体部と前面扉の隙間                                         
１９  手掛かり部材                                                 
２２  手掛かり部材の閉止部                                         
２３  手掛かり部材の固定部                                         
２４  閉止部の上面                                                 
２６  前面扉の後面                                                 
２７  底板の上面                                                   
２８  パッキン                                                     
２９  固定部材                                                     
３２  手掛かりスペース                                             
３３  タッカー                                                     
３４  係合用の窪み                                                 
３７  カバー部材                                                   
３８  カバー部材の折曲げ部                                         
３９  カバー部材の係合用の突起                                     
４２  カバー部材の折曲げ片                                         
４３  底板の下面
４４  閉止部の突出部                                                   
５１  アッパーキャビネット                                         
５２  カバー部材                                                   
５３  固定部の下半部                                               
５６  カバー部材の折曲げ部                                         
５７  カバー部材の係合用の突起                                     
５８  係合用の窪み                                                 
６１  アッパーキャビネット                                         
６２  カバー部材                                                   
６３  固定部の下端部の軟質部                                       
６６  係合用の孔                                                   
【図１】
0006445275.tif 000002
【図２】
0006445275.tif 000003
【図３】
0006445275.tif 000004
【図４】
0006445275.tif 000005
【図５】
0006445275.tif 000006